(57)【要約】【課題】省エネ性を低下させることなく短時間保存及び長時間保存それぞれに適した冷却が可能な冷凍室を有する冷蔵庫の提供。【解決手段】扉の引出し開閉に伴って出し入れされる冷凍室容器２４を備え、前記冷凍室容器は少なくとも上下二段の容器を備えていて下容器２５の上方に上容器２６を設置するとともに、下容器の上方開口は上容器によって塞ぎ、かつ、前記冷凍室の上・下容器背面側には冷気吹出し口３０を配置し、この冷気吹出し口から上容器内に供給する冷気量を下容器内に供給する冷気量よりも多くなるように設定してある。これにより、上・下容器内を短時間保存及び長時間保存に使い分けて上容器内は急速冷却可能とし、かつ下容器内は引出時に入り込む外気の量を低減して冷凍室の冷却頻度を低減することができ、短時間保存及び長時間保存それぞれに適した冷却が可能で省エネ性も向上する。【選択図】図８
2016223754.tif 000002
【特許請求の範囲】
【請求項１】
冷蔵庫本体内に設けた冷凍室と、この冷凍室を開閉する引出し式の扉と、前記扉の引出し開閉に伴って出し入れされる冷凍室容器とを備え、前記冷凍室容器は少なくとも上下二段の容器からなっていて下容器の上方に上容器を摺動自在に配置するとともに、下容器の上方開口は上容器によって塞ぎ、かつ、前記冷凍室の上・下容器背面側には冷気吹出し口を開口させ、この冷気吹出し口から上容器内に供給する冷気量は下容器内に供給する冷気量よりも多くなるように設定した冷蔵庫。
【請求項２】
前記下容器の少なくとも前面には冷気流出孔を設け、この冷気流出孔は下容器内に冷気を供給する前記冷気吹出し口あるいは下容器の後面上端開口よりも上方に設けた請求項１記載の冷蔵庫。
【請求項３】
前記上容器は冷気流出孔のない無孔壁面とした請求項１または２記載の冷蔵庫。
【請求項４】
前記下容器は仕切板を設けて左右少なくとも大小二つの収納室に区画し、その大収納室の上方を上容器によって覆うとともに小収納室の上方は開口状態として背丈の高い冷凍食品を収納可能な構成とし、かつ、前記小収納室へ冷気を供給する冷気吹出し口は上容器内に冷気を供給する上容器用冷気吹出し口より低い位置に設けた請求項１〜３のいずれか１項に記載の冷蔵庫。
【発明の詳細な説明】
【技術分野】
【０００１】
本発明は、冷蔵庫の冷凍室構成に関するものである。
【背景技術】
【０００２】
一般に家庭用冷蔵庫は、冷蔵室、冷凍室、野菜室等を備え、前記各室にはそれぞれに食品を収納し冷却保存している。
【０００３】
その中で前記冷凍室は引出しによって開口される扉の内面に支持部材を設け、この支持部材に容器を設けて構成することにより、扉の引出しにより容器を冷蔵庫本体外に引出し、冷凍食品を出し入れしやすくしてある。
【０００４】
そして、さらに上記容器は上下二段配置して多くの冷凍食品を収納保存できるようにしてあり、食生活の変化に伴う冷凍食品の使用量増大に対応可能なようにしてある。（例えば、特許文献１参照）。
【０００５】
図１０は特許文献１記載の冷蔵庫を示し、この特許文献１に記載されている冷蔵庫の冷凍室は、冷蔵庫本体１０１から引出自在に設けた扉１０２の内面に支持部材１０３を設け、この支持部材１０３に容器１０４を配置して構成してあり、容器１０４は下容器１０４ａの開口部に上容器１０４ｂを前後スライド自在に設置して構成してある。そして、上容器１０４ｂは下容器１０４ａよりも前後幅の短いものとして、扉引出し時には扉内面との間に開口１０５が形成される形となっている。
【先行技術文献】
【特許文献】
【０００６】
【特許文献１】特開２００８−１９６７５０号公報
【発明の概要】
【発明が解決しようとする課題】
【０００７】
上記特許文献１に記載されている冷蔵庫の冷凍室は、上・下容器１０４ａ、１０４ｂへの冷凍食品の出し入れが容易になるとともに、冷凍室１０６を冷凍室１０６の上下にそれぞれ収納できるから、より多くの冷凍食品を収納保存できる。しかも上記下容器１０４ａ内に比較的長時間保存する冷凍食品を収納し、上容器１０４ｂ内には比較的短時間で使用する冷凍食品を収納しておくことで使い勝手が向上し、冷凍食品を多用するユーザに重宝されている。
【０００８】
しかしながら上記従来の冷蔵庫は、前記の如くユーザによって上・下容器１０４ａ、１０４ｂ内に冷却保存する冷凍食品が短時間保存用と長時間保存用に使い分けられているのにもかかわらず、上下容器１０４ａ、１０４ｂ内はほぼ同程度に冷却されている。
【０００９】
そのため、短時間保存で使用される冷凍食品を保存する上容器１０４ｂ内は、冷凍食品の出し入れのたびに大量の外気と接するから、下容器１０４ａ内に比べ冷却温度が高くなりがちであった。
【００１０】
また、下容器１０４ａ内も扉１０２内面と上容器１０４ｂとの間の開口１０５から外気が入り込むため冷凍食品の出し入れのたびに下容器１０４ａ内温度が大きく変動し、収納食品に影響を与えることがあった。
【００１１】
更に前記上容器１０４ｂ内の冷却温度が食品出し入れのたびに高くなりがちになること、そしてこれに加え下容器１０４ａ内にも扉１０２内面と上容器１０４ｂとの間の開口１０５から外気が入り込んで温度が高くなること、等のため、これらを見越した分だけ冷凍室の冷却能力を高め設定しておく必要があり、その分圧縮機を駆動して行う冷却頻度が多くなって省エネ性を低下させる一因ともなっていた。特に前記下容器１０４ａはその容積が上容器１０４ｂに比べかなり大きいため入り込む外気の量も多いところからその影響は大きなものがあった。
【００１２】
本発明はこのような点に鑑みてなしたもので、省エネ性を低下させることなく短時間保存及び長時間保存それぞれに適した冷却が可能な冷凍室を有する冷蔵庫の提供を目的としたものである。
【課題を解決するための手段】
【００１３】
本発明は、上記従来の課題を解決するために、冷蔵庫本体内に設けた冷凍室と、この冷凍室を開閉する引出し式の扉と、前記扉の引出し開閉に伴って出し入れされる冷凍室容器とを備え、前記冷凍室容器は少なくとも上下二段の容器からなっていて下容器の上方に上容器を摺動自在に配置するとともに、下容器の上方開口は上容器によって塞ぎ、かつ、前記冷凍室の上・下容器背面側には冷気吹出し口を開口させ、この冷気吹出し口から上容器内に供給する冷気量は下容器内に供給する冷気量よりも多くなるように設定した構成としてある。
【００１４】
これにより、冷凍室の上容器内には下容器内よりも多くの冷気が供給され、扉引出し開閉のたびに外気と接しこれが入り込む上容器内を急速冷却することができ、出し入れの激しい短時間保存用のスペースとして効率よく使用できる。しかも食品も良好に冷凍保存することができる。また、下容器内は外部からの外気が入りにくくなって温度変動の少ない安定した冷却状態に維持でき、しかも下容器内に供給される冷気は下容器から流出しにくくなり、少ない冷気量でも下容器内の食品を効果的に冷却できる。よって、下容器内は長時間保存用のスペースとして効果的に活用できる。加えて前記下容器はその上方開口を上容器によって塞いでいるので、扉引出し時に下容器内へ入り込む外気の量を大幅に低減できる。したがって、冷凍室の冷却能力は上容器内に入り込む外気量を考慮したレベルまでの低いものとすることができ、省エネ性も向上する。
【発明の効果】
【００１５】
本発明の冷蔵庫は、上記構成により、省エネ性を向上させ、しかも食品を短時間保存及び長時間保存それぞれに適した形で冷凍保存できる冷蔵庫とすることができる。
【図面の簡単な説明】
【００１６】
【図１】本発明の実施の形態１における冷蔵庫の正面図
【図２】同図１のＡ−Ａ概略断面図
【図３】同実施の形態１における冷蔵庫の冷凍室構成を示す分解斜視図
【図４】同冷蔵庫の冷凍室容器を示す斜視図
【図５】同冷蔵庫の冷凍室容器を示す分解斜視図
【図６】同冷蔵庫の冷凍室容器を示す断面図
【図７】同冷蔵庫の冷凍室内の背面を前面から見た正面図
【図８】同冷蔵庫の冷凍室内における冷気の流れを示す説明図
【図９】同冷蔵庫の冷凍室容器部分の冷気流れを示す説明図
【図１０】従来の冷蔵庫の冷凍室構成を示す断面図
【発明を実施するための形態】
【００１７】
第１の発明は、上記従来の課題を解決するために、冷蔵庫本体内に設けた冷凍室と、こ
の冷凍室を開閉する引出し式の扉と、前記扉の引出し開閉に伴って出し入れされる冷凍室容器とを備え、前記冷凍室容器は少なくとも上下二段の容器からなっていて下容器の上方に上容器を摺動自在に配置するとともに、下容器の上方開口は上容器によって塞ぎ、かつ、前記冷凍室の上・下容器背面側には冷気吹出し口を開口させ、この冷気吹出し口から上容器内に供給する冷気量は下容器内に供給する冷気量よりも多くなるように設定した構成としてある。
【００１８】
これにより、冷凍室の上容器内には下容器内よりも多くの冷気が供給され、扉引出し開閉のたびに外気と接しこれが入り込む上容器内を急速冷却することができ、出し入れの激しい短時間保存用のスペースとして効率よく使用できる。しかも食品も良好に冷凍保存することができる。また、下容器内は外部からの外気が入りにくくなって温度変動の少ない安定した冷却状態に維持でき、しかも下容器内に供給される冷気は下容器から流出しにくくなり、少ない冷気量でも下容器内の食品を効果的に冷却できる。よって、下容器内は長時間保存用のスペースとして効果的に活用できる。加えて前記下容器はその上方開口を上容器によって塞いでいるので、扉引出し時に下容器内へ入り込む外気の量を大幅に低減できる。したがって、冷凍室の冷却能力は上容器内に入り込む外気量を考慮したレベルまでの低いものとすることができ、省エネ性も向上する。
【００１９】
第２の発明は、第１の発明において、前記下容器の少なくとも前面には冷気流出孔を設け、この冷気流出孔は下容器内に冷気を供給する前記冷気吹出し口あるいは下容器の後面上端開口よりも上方に設けた構成としてある。
【００２０】
これにより、下容器内に供給した冷気はショートサーキットすることなく冷気流出用開口まで滞留してそのすべてが食品冷却に供されるようになるので、少ない冷気量でも、下容器内の冷凍食品を良好に冷却保存することができる。
【００２１】
第３の発明は、第１または第２の発明において、前記上容器は冷気流出孔のない無孔壁面とした構成としてある。
【００２２】
これにより、上容器内に供給された冷気は上容器の開口縁から溢れ出るようになって上容器内全体を確実に急速冷却することができる。
【００２３】
第４の発明は、第１〜第３の発明において、前記下容器は仕切板を設けて左右少なくとも大小二つの収納室に区画し、その大収納室の上方を上容器によって覆うとともに小収納室の上方は開口状態として背丈の高い冷凍食品を収納可能な構成とし、かつ、前記小収納室へ冷気を供給する冷気吹出し口は上容器内に冷気を供給する上容器用冷気吹出し口より低い位置に設けた構成としてある。
【００２４】
これにより、背丈の高い縦長冷凍食品等を上容器に邪魔されることなく効率よく収納し冷凍保存できるとともに、冷気も上容器方向に分散することなく当該収納室内に確実に供給することができるので、冷却効果を高めることもできる。
【００２５】
以下、本発明の実施の形態について、図面を参照しながら説明する。尚、この実施の形態によって本発明が限定されるものではない。
【００２６】
（実施の形態１）
図１は本発明の実施の形態１における冷蔵庫の正面図、図２は同図１のＡ−Ａ概略断面図、図３は同実施の形態１における冷蔵庫の冷凍室構成を示す分解斜視図、図４は同冷蔵庫の冷凍室容器を示す斜視図、図５は同冷蔵庫の冷凍室容器を示す分解斜視図、図６は同冷蔵庫の冷凍室容器を示す断面図、図７は同冷蔵庫の冷凍室内の背面を前面から見た正面
図、図８は同冷蔵庫の冷凍室内における冷気の流れを示す説明図、図９は同冷蔵庫の冷凍室容器部分の冷気流れを示す説明図である。
【００２７】
まず、冷蔵庫の全体構成について説明する。
【００２８】
図１、図２において、本実施の形態に係る冷蔵庫は、前方を開口した冷蔵庫本体１を備え、この冷蔵庫本体１は金属製の外箱２と、硬質樹脂製の内箱３と、前記外箱２および内箱３の間に発泡充填された発泡断熱材４とから構成されており、本体仕切板５によって複数の貯蔵室が形成されている。
【００２９】
また、前記冷蔵庫本体１の各貯蔵室は冷蔵庫本体１と同様の断熱構成を採用した回動式或いは引出し式の扉６、７〜９で開閉自在となっている。
【００３０】
冷蔵庫本体１内に形成された貯蔵室は、最上部の冷蔵室１０と、冷蔵室１０の下に設けられた温度帯切り替え可能な切替室１１と、切替室１１の横に設けられた製氷室１２と、切替室１１および製氷室１２と最下部の野菜室１３との間に設けられた冷凍室１４で構成されている。
【００３１】
冷凍室１４の背面には冷却室１５があり、冷気を生成する冷却器１６と、冷気を各室に供給する冷却ファン１７とを有し、冷却器１６下方にはさらに除霜手段１８が設置されている。
【００３２】
冷却器１６は、圧縮機１９と、コンデンサ（図示せず）と、放熱用の放熱パイプ（図示せず）と、キャピラリーチューブ（図示せず）とを環状に接続してなる冷凍サイクルを構成しており、圧縮機１９によって圧縮された冷媒の循環によって冷却を行う。
【００３３】
冷却室１５によって生成した冷気は、冷気通路２０を介して前記冷蔵室１０、冷凍室１４等の各室に冷気供給循環され、これら各室を所定温度に冷却する。
【００３４】
次に図３〜図９を用いて冷凍室構成について説明する。
【００３５】
冷凍室１４は、図３に示すように、冷凍室扉８の内面に取付けた支持部材２２を冷凍室内の両側底部に設けた伸縮摺動レール体２３の容器側レール２３ａに取付け固定し、この支持部材２２に冷凍室容器２４を保持させて構成してある。そして、扉８の引出しと押し込みによって冷凍室容器２４を冷蔵庫本体１内から出し入れできるようになっている。
【００３６】
上記冷凍室容器２４は、図４、図５に示すように、下容器２５と上容器２６の上下二段構成となっており、上容器２６は下容器２５の上部開口縁を前後方向へ摺動自在なるように配置してある。そして、前記上容器２６の底部後面と下容器２５の後面上端開口との間には間隙を形成して後述する冷気吹出し口からの冷気を下容器２５内に供給する下容器用冷気供給口２７が形成してある。
【００３７】
また、下容器２５は内部に仕切板２８を装着して容積の異なる左右二つの収納室２５ａ、２５ｂが区画形成してあり、それらの前面上部となる下容器２５の前面には前記下容器用冷気供給口２７よりも上方に位置する如く冷気流出孔２９が形成してある。
【００３８】
そして上記下容器２５内に形成した収納室２５ａ、２５ｂのうち容積の大きな収納室（以下、大収納室と称す）２５ａは、前記した上容器２６を配置して上部開口を覆い、その前面と側面、すなわち図４等で示す下容器２５の前面と図中左側の側壁面及び下容器２５内の仕切板２８との上方開口は、上容器２６によって塞いだ状態としてある。
【００３９】
また、もう一方の収納室（以下、小収納室と称す）２５ｂは、その上部を開口状態のままとして、上容器２６の底よりも背丈の高い縦長冷凍食品やペットボトル等を収納可能としてある。なお、この小収納室２５ｂは前記大収納室２５ａに対し十分小さな容積としてある。
【００４０】
また、前記冷凍室容器２４を収容した冷凍室の背面壁部分には、図７に示すように、冷凍室容器２４内に冷気を供給する冷気吹出し口３０が設けてある。
【００４１】
この冷気吹出し口３０は、上容器２６用、下容器２５の大収納室２５ａ用、同背丈の高い小収納室２５ｂ用の三つに分けて設けてあり、上容器２６に冷気を供給する上容器用冷気吹出し口３０ａは下容器２５の大収納室２５ａに冷気を供給する下容器用冷気吹出し口３０ｂよりも大きくして上容器２６内に供給する冷気が下容器２５の大収納室２５ａに供給する冷気よりも多くなるように設定してある。
【００４２】
また、下容器２５の背丈が高い小収納室用の小収納室用冷気吹出し口３０ｃは、前記上容器２６内に冷気を供給する上容器用冷気吹出し口３０ａより低い位置に設けてある。
【００４３】
なお、図７中、３１は食品冷却後の冷気を冷却室１５に戻す冷気戻り口で、冷凍室背面の下部に設けてある。
【００４４】
以上のように構成された冷蔵庫について、以下その動作、作用を説明する。
【００４５】
まず、冷蔵庫の冷却動作について簡単に説明する。
【００４６】
冷却室１５内で生成された低温の冷気は、冷却ファン１７によって、冷気通路２０から冷蔵室１０や冷凍室１４等に供給され、それぞれの室を設定温度に冷却する。そして、各室を冷却したのちの冷気は、再び冷却室１５に戻って冷却器１６により冷却され、冷却ファン１７で各室に循環していく。
【００４７】
なお、冷蔵室１０や野菜室１３への冷気は図示しないダンパによって開閉制御され、それぞれの設定温度帯に維持制御されている。
【００４８】
次に前記冷凍室１４の冷却作用について説明する。
【００４９】
冷凍室１４は冷凍室背面に設けた三つの冷気吹出し口３０より上容器２６と下容器２５の大収納室２５ａ及び小収納室２５ｂに冷気が供給され、内部に収納している冷凍食品を冷却する。
【００５０】
すなわち、図８の矢印で示すように、上容器用冷気吹出し口３０ａからの冷気は上容器２６内に供給されて食品を冷却し、容器前方部分の開口上縁から溢れ出て扉８内面との間や冷凍室側面壁との間を流下し、下容器２５の底面下部通って冷気戻り口３１から冷却室１５へと循環していく。
【００５１】
また、下容器用冷気吹出し口３０ｂからの冷気は上容器２６と下容器２５との間の下容器用冷気供給口２７から下容器２５の大収納室２５ａへと流れ込み、食品を冷却した後、前面の冷気流出孔２９から扉８内面との間へ流出し、先の上容器２６からの冷気と合流して冷気戻り口３１から冷却室へと循環していく。
【００５２】
さらに、小収納室用冷気吹出し口３０ｃからの冷気は図９に示すように下容器２５の小
収納室２５ｂに供給され、食品を冷却した後、前面の冷気流出孔２９から扉８内面との間へ流出し、先の上容器２６及び大収納室２５ａからの冷気と合流して冷気戻り口３１から冷却室へと循環していく。
【００５３】
ここで上記上容器２６内に冷気を供給する上容器用冷気吹出し口３０ａは下容器用冷気吹出し口３０ｂより大きいので、上容器２６内には下容器２５内よりも多くの冷気が供給される。したがって、扉引出し開閉のたびに外気と接し当該外気が入り込んで温度が高くなりがちな上容器２６内を急速かつ強力に冷却することができる。これにより、使用頻度が高くて出し入れの激しい冷凍食品を良好に冷却でき、冷凍食品の短時間保存用スペースとして効率よく活用できる。そして、急速冷凍用スペースとしても利用できる。
【００５４】
また、前記上容器２６はその前壁面・側壁面が冷気流出孔のない無孔壁面としてあるから、上容器２６内に供給された冷気は上容器２６の開口縁から溢れ出るようになって上容器２６内全体を確実に急速冷却することができる。
【００５５】
一方、前記下容器２５はその大収納室２５ａの上方開口に上容器２６が配置されていてその上方開口が上容器２６によって塞がれているので、扉引出し時に下容器２５の大収納室２５ａ内に外気が入り込みにくくなり、大収納室２５ａ内に入り込む外気の量を大幅に低減することができる。したがって、下容器２５内は温度変動の少ない安定した冷却状態に維持できると同時に、冷凍室１４を冷却するための冷却能力は上容器２６内に入り込む外気量を考慮したレベルまでの低いものとすることができ、圧縮機１９を駆動する冷却頻度を低減して省エネ性を向上させることができる。
【００５６】
加えて、前記下容器２５の大収納室２５ａ内の冷気は上容器２６によって塞がれているので、下容器２５から流出しにくくなる。したがって、前記の安定した冷却作用と相まって少ない冷気量でも下容器２５の大収納室２５ａ内に収納してある冷凍食品を適切に冷却することができ、冷凍食品の長時間保存用スペースとして効果的に活用できる。
【００５７】
また、前記上容器２６に供給された冷気が、扉引出し時に上容器２６内に入り込んだ外気とともに上部開口縁から溢れて冷気戻り口３１へと流れる際、前記下容器２５の大収納室２５ａ上方が塞がれているので、この外気を含む比較的温度の高い冷気が下容器２５の大収納室２５ａ内に入り込むようなことがなくなる。したがって、この点からも下容器２５内の冷却温度を安定させることができると同時に低温状態に維持でき、下容器２５の大収納室２５ａを冷凍食品の長時間保存用スペースとして効果的に活用できる。
【００５８】
また、この実施の形態では前記下容器２５の前面に設けた冷気流出孔２９は、下容器２５内の大収納室２５ａに冷気を供給する下容器用冷気吹出し口３０ｂあるいは下容器用冷気供給口２７の下端である下容器の後面上端開口よりも上方に設けた構成としてあるから、冷気量が少なくても大収納室２５ａ内の冷凍食品をさらに良好に冷却保存することができる。
【００５９】
すなわち、上記構成としたことにより、下容器２５の大収納室２５ａ内に供給した冷気は冷気流出孔２９の高さ位置まで滞留し、その後、冷気流出孔２９から流出して冷凍室背面の冷気戻り口３１へと流れるので、大収納室２５ａ内の冷気が冷気戻り口３１へとショートサーキットしてしまうようなことがなくなる。したがって大収納室２５ａ内に供給された冷気はそのすべてが食品冷却に供され、冷気量が少なくても大収納室２５ａ内の冷凍食品を良好に冷却保存することができるのである。
【００６０】
なお、冷気流出孔２９の全てを下容器用冷気吹出し口３０ｂあるいは下容器用冷気供給口２７の下端である下容器の後面上端開口よりも上方に設けた方が冷却効率が高いが一部
のみでもよい。
【００６１】
加えて、この実施の形態では特に前記下容器２５は仕切板２８を設けて大小二つの収納室に区画形成し、その大収納室２５ａの上方を上容器２６によって覆うとともに他方の小収納室２５ｂの上方は開口状態としてあるから、背丈の高いペットボトルや縦長冷凍食品等の食品を上容器に邪魔されることなく効率よく収納でき冷凍保存することができる。
【００６２】
しかも前記背丈の高い冷凍食品を収納可能な小収納室２５ｂへ冷気を供給する小収納室用冷気吹出し口３０ｃは、上容器２６内に冷気を供給する上容器用冷気吹出し口３０ａより低い位置に設けた構成としてあるから、小収納室用冷気吹出し口３０ｃからの冷気は上容器２６方向に分散することなく当該小収納室２５ｂに確実に流れ込むことになる。したがって、小収納室２５ｂ内に収納した食品はより確実に冷却され、良好な冷凍保存が可能となる。
【００６３】
以上、本発明の実施の形態を説明してきたが、上記実施の形態で説明した構成は本発明を実施する一例として示したものであり、本発明の目的を達成する範囲で種々変更可能なことは言うまでもない。
【００６４】
例えば、この実施の形態では冷凍室容器２４の下容器２５は仕切板２８で仕切って大収納室２５ａと小収納室２５ｂを設け、大収納室２５ａの上部開口に上容器２６を設置してその上部開口のみ塞ぐようにしたものを例示したが、この下容器２５は仕切板２８で仕切ることなく単一の収納室としてその上部開口に上容器２６を設置するようにしてもよいものである。
【００６５】
また、冷凍室１４に冷気を供給する冷気吹出し口３０としてこの実施の形態では上容器２６内に冷気を供給する上容器用冷気吹出し口３０ａとは別に下容器２５内に冷気を供給する下容器用冷気吹出し口３０ｂを設けたものを例示したが、この下容器２５内に冷気を供給する冷気吹出し口は上容器用冷気吹出し口３０ａに兼ねさせ、この上容器用冷気吹出し口３０ａから吹出す冷気の一部を下容器２５内に分流させて供給するようにしてもよい。この場合は前記上容器２６と下容器２５との間の背面部分に形成されている下容器用冷気供給口２７が下容器２５内に冷気を供給する下容器用冷気吹出し口３０ｂとなるものである。
【産業上の利用可能性】
【００６６】
本発明にかかる冷蔵庫は、省エネ性を向上させつつ食品を短時間保存及び長時間保存それぞれに適した形で冷凍保存できる冷蔵庫とすることができ、家庭用はもちろん業務用冷蔵庫にも幅広く適用することができる。
【符号の説明】
【００６７】
１  冷蔵庫本体
５  本体仕切板
６〜９  扉
１０  冷蔵室
１３  野菜室
１４  冷凍室
１５  冷却室
１６  冷却器
１７  冷却ファン
１８  除霜手段
１９  圧縮機
２０  冷気通路
２２  支持部材
２３  伸縮摺動レール体
２４  冷凍室容器
２５  下容器
２５ａ  大収納室
２５ｂ  小収納室
２６  上容器
２７  下容器用冷気供給口
２８  仕切板
２９  冷気流出孔
３０  冷気吹出し口
３０ａ  上容器用冷気吹出し口
３０ｂ  下容器用冷気吹出し口
３０ｃ  小収納室用冷気吹出し口
３１  冷気戻り口
【図１】
2016223754.tif 000003
【図２】
2016223754.tif 000004
【図３】
2016223754.tif 000005
【図４】
2016223754.tif 000006
【図５】
2016223754.tif 000007
【図６】
2016223754.tif 000008
【図７】
2016223754.tif 000009
【図８】
2016223754.tif 000010
【図９】
2016223754.tif 000011
【図１０】
2016223754.tif 000012